(57)【要約】【課題】室内循環ダクト内に冷気の流通抵抗となる部品が配置されていても、貯蔵室内の冷却状態にバラツキが生じることを解消することができる循環冷気分配構造を提供することを課題とする。【解決手段】冷菓供給装置３１は、蒸発器４５を収容する貯蔵室３３と、貯蔵室外へ引き出すにあたって蒸発器の片側にまとめられた制御用配線５５と、貯蔵室内に設けられ冷気の流通経路を画定する室内循環ダクト４３と、室内循環ダクト内に設けられ蒸発器を挟んで前述のまとめられた配線５５の逆側に配置された風向部材としての傾斜板７７とを備える。【選択図】        図２
2004317083.tif 000002
【特許請求の範囲】
【請求項１】
蒸発器及び冷却対象物を収容する貯蔵室と、
前記貯蔵室外へ引き出すにあたって前記蒸発器の片側にまとめられた制御用配線と、
前記貯蔵室内に設けられ冷気の流通経路を画定する室内循環ダクトと、
前記室内循環ダクト内に設けられ、前記蒸発器を挟んで前記まとめられた配線の逆側に配置された風向部材と
を備えたことを特徴とする循環冷気分配構造。
【請求項２】
前記冷却対象物は、前記貯蔵室における幅方向中央に配置された冷菓注出シリンダと該冷菓注出シリンダの片側に配置されたブラインタンクとを備える冷菓注出手段を含み、
前記貯蔵室において、前記冷菓注出シリンダを挟んで前記ブラインタンクの逆側には、該ブラインタンクと同幅・同高さの遮蔽部材が配置されている
ことを特徴とする請求項１に記載の循環冷気分配構造。
【発明の詳細な説明】
【０００１】
【発明の属する技術分野】
本発明は、冷気が循環される室内における冷気流通状態を制御する技術に関するものである。
【０００２】
【従来の技術】
冷気が循環される冷却貯蔵室を有する装置として冷菓供給装置がある。通常、冷菓供給装置においては、断熱材に囲まれた貯蔵室を備え、その貯蔵室の中には冷菓を収容する注出シリンダ、注出シリンダ内のピストンをブラインによって駆動させる駆動系統、また場合によっては詰め替え用冷菓などが収容されている。さらに、この貯蔵室には、貯蔵室内の雰囲気を冷却するための蒸発器も収容されている（例えば、特許文献１参照）。
【０００３】
また、本出願人によって製作されている既存の卓上型冷菓注出装置を図４及び図５に示す。卓上型冷菓供給装置１において、貯蔵室３内の冷気は、矢印に示されるようにまず蒸発器５を通過する際に冷却され、蒸発器５の後方から室内循環ダクト７を流下する。さらに冷気は、ダクト下端出口７ａから流出し、前方に向きを変えて詰め替え用の一対の袋詰め冷菓９ａ，９ｂ、冷菓注出シリンダ１１、ブラインタンク１３などに衝突してそれらを冷却し、室内循環ファン１５の作用によって上昇した後、蒸発器５に向けて流れ、以降同様な循環を行う。
【０００４】
【特許文献１】
特開２００１−３２１０８７号公報
【０００５】
【発明が解決しようとする課題】
図４及び図５に示した冷菓供給装置においては、蒸発器５後方や室内循環ダクト７の左側のスペースに、室内循環ファン用制御線や各種ヒータ及びサーモセンサ用配線などの配線１７が取り回されている。よって、蒸発器５を通過した冷気の大部分は、図５の矢印に示されるように、前述の配線１７が抵抗となる左側のスペースを避け、右側のスペースを流通し即ち室内循環ダクト７の右側の部分を流下する。そして、ダクト下端出口７ａの右側から大量に流出した冷気は、右側の袋詰め冷菓９ｂに衝突して乱流となって滞り、その周辺部分を冷却する。袋詰め冷菓９ａ，９ｂ近傍の冷気の流れは、一対の袋詰め冷菓９ａ，９ｂの間の中央部分１９と、右側の袋詰め冷菓９ｂ及び側壁２１の右側隙間部分２３とを流れるものが主流となる。さらに前方に進んだ冷気は、右側の袋詰め冷菓９ｂの前方にはブラインタンク１３がある一方、左側の袋詰め冷菓９ａの前方には障害となる遮蔽部品がないことから、主に、左側の袋詰め冷菓９ａの前方へと流れ込み、ここで乱流になったり滞ったりするなどの状態を経ることなく上方へと流れていく。このため、右側の袋詰め冷菓９ｂはよく冷やされ、左側の袋詰め冷菓９ａは十分に冷却されない傾向があり、貯蔵室３内全体では左右領域で冷却温度にバラツキが生じる問題があった。
【０００６】
本発明は、上記に鑑みてなされたものであり、室内循環ダクト内に冷気の流通抵抗となる部品が配置されていても、貯蔵室内の冷却状態にバラツキが生じることを解消することができる循環冷気分配構造を提供することを目的とする。
【０００７】
【課題を解決するための手段】
上述の目的を達成するため、本発明の循環冷気分配構造は、蒸発器及び冷却対象物を収容する貯蔵室と、前記貯蔵室外へ引き出すにあたって前記蒸発器の片側にまとめられた制御用配線と、前記貯蔵室内に設けられ冷気の流通経路を画定する室内循環ダクトと、前記室内循環ダクト内に設けられ、前記蒸発器を挟んで前記まとめられた配線の逆側に配置された風向部材とを備えたことを特徴とする。
【０００８】
また、前記冷却対象物は、前記貯蔵室における幅方向中央に配置された冷菓注出シリンダと該冷菓注出シリンダの片側に配置されたブラインタンクとを備える冷菓注出手段を含み、前記貯蔵室において、前記冷菓注出シリンダを挟んで前記ブラインタンクの逆側には、該ブラインタンクと同幅・同高さの遮蔽部材が配置されていると好適である。
【０００９】
【発明の実施の形態】
以下、本発明に係る循環冷気分配構造を、冷菓供給装置に適用した場合の実施の形態を添付図面に基づいて説明する。
図１〜３に示されるように、冷菓供給装置３１は、断熱パネル３１ａによって画定された貯蔵室３３を備えている。貯蔵室３３内における前部には、冷菓注出手段を構成する冷菓注出シリンダ３５とブラインタンク３７とが配置されている。冷菓注出シリンダ３５は、貯蔵室３３内における幅方向中央に配置されており、その内部にピストンを収容している。また、冷菓注出シリンダ３５内においてピストン上方の空間には、注出用の冷菓が収容される。一方、ブラインタンク３７は貯蔵室３３内における冷菓注出シリンダ３５の片側すなわち本実施の形態では右側に配置されている。ブラインタンク３７は図示しない連通管を介して冷菓注出シリンダ３５内におけるピストン下方の空間に連通している。そして、ポンプモータ３９の圧送力を用いて、ブラインをピストン下方の空間に供給しブラインの液圧によってピストンを上昇させて冷菓注出シリンダ３５の冷菓を注出、提供する。
【００１０】
また、貯蔵室３３内における冷菓注出シリンダ３５の後方には、左右一対の詰め替え用冷菓貯蔵容器４１ａ，４１ｂが吊り下げ態様で設けられている。これら冷菓貯蔵容器４１ａ，４１ｂは、相互に間隔を空けて配置されており、前後方向からみると冷菓注出シリンダ３５の両側に振り分けられるように配置されている。さらに、貯蔵室３３内における一対の詰め替え用冷菓貯蔵容器４１ａ，４１ｂの後方には、室内循環ダクト４３が設けられている。室内循環ダクト４３は、断熱パネル３１ａと協働して冷気循環通路の一部となる背面冷気経路４３ｃを画定する。また、室内循環ダクト４３の上端４３ａは、貯蔵室３３の天井面を画定する断熱パネル３１ａの部分と離隔しており、そこから冷気が背面冷気経路４３ｃに流入する。同様に、室内循環ダクト４３の下端４３ｂは、貯蔵室３３の底面を画定する断熱パネル３１ａの部分と離隔しており、そこから冷気は背面冷気経路の外に流出する。
【００１１】
貯蔵室３３内において、冷菓注出シリンダ３５、ブラインタンク３７及び詰め替え用冷菓貯蔵容器４１ａ，４１ｂなどの上方には、蒸発器４５が配置されている。蒸発器４５は、貯蔵室３３内における幅方向中央のやや後寄りに配置されている。かかる蒸発器４５は、貯蔵室３３外に設けられている図示しない圧縮機、凝縮器や膨張弁などと共に周知の冷凍回路を構成している。また、蒸発器４５の周囲には、蒸発器カバー４７が設けられている。さらに、かかる蒸発器カバー４７における蒸発器４５の前方部分には、室内循環ファン４９が回転軸を上下方向に向けて配置されている。また、蒸発器カバー４７の内側において、蒸発器４５の下方には、ドレンパン５１及び図示しない除霜用デフロストヒータが配置されている。ドレンパン５１の後方からは、溜まったデフロスト水を貯蔵室３３外へと排出するためのドレンパイプ５３が延びている。
【００１２】
図３に最もよく示されるように、蒸発器４５の片側すなわち本実施の形態では左側には、貯蔵室３３内の各部品から延出する制御用配線５５が配置されている。本実施の形態では、制御用配線５５としては、室内循環ファン４９の駆動制御用の配線５７と、除霜用デフロストヒータの制御用の配線５９と、除霜用デフロストヒータの制御を行うための温度検出用サーモへの配線６１と、図示しないドレンパイプヒータの制御用の配線６３と、貯蔵室内サーモへの配線６５と、ブラインタンク３７内に設けられたフロートスイッチへの配線６７とが存在する。配線６１は、蒸発器４５の前端に設けられた温度検出用サーモ６９に接続している。配線６５は、貯蔵室３３内における室内循環ダクト４３の内側に設けられた貯蔵室内サーモ７１に接続している。また、配線６７は、蒸発器４５の後方において左右に延長し、貯蔵室３３内の右端から下方に延長して、さらに、貯蔵室３３の底面付近を前方に延長してブラインタンク３７内に設けられたフロートスイッチへと接続している。このような制御用配線５５は、蒸発器４５の左側にまとめられ、貯蔵室３３の背面を画定する断熱パネル３１ａの背面部分７３に形成された図示しない単一の貫通穴を介して、貯蔵室３３の外へ引き出され、所定の制御装置７５に接続される。
【００１３】
室内循環ダクト４３の内側の背面冷気経路４３ｃ内には、冷気を所定方向に積極的に案内するための風向部材としての傾斜板７７が配置されている。この傾斜板７７は、蒸発器４５を挟んで前述のようにまとめられた制御用配線５５の逆側すなわち本実施の形態では右側に配置されている。傾斜板７７は、その左端が右端よりも下方に位置するように傾斜して配置されている。また、傾斜板７７の右端には、フロートスイッチへの配線６７が貫通するための切り欠き７７ａが形成されている。
また、貯蔵室３３内において、冷菓注出シリンダ３５を挟んでブラインタンク３７の逆側すなわち本実施の形態では左側には、該ブラインタンク３７と同幅・同高さの遮蔽部材としての遮蔽板７９が配置されている。遮蔽板７９は、前後方向からみた投影形状に関してブラインタンク３７と同じ幅及び高さを有する板状部材である。そして、遮蔽板７９は、貯蔵室３３の底面の段差を形成する垂直部分８１と貯蔵室３３の左側面を画定する左側面部分８３とに固定されている。
【００１４】
次に以上のように構成された冷菓供給装置の作用について説明する。冷菓注出シリンダ３５内の図示しないピストン上方に収容された袋詰め冷菓は、ブラインタンク３７からピストン下方に供給されるブライン液圧によって、ピストンを介して上方に圧縮され所定の通路を通って顧客に提供される。冷菓注出シリンダ３５内の冷菓が注出され尽くすと、係員によって詰め替え用冷菓貯蔵容器４１ａ，４１ｂが新たに冷菓注出シリンダ３５内に移され、引き続き顧客への冷菓の提供が行われる。
【００１５】
また、貯蔵室３３内においては、顧客へ提供する冷菓の品質を保持するため、冷気を循環させて冷菓を低温に維持する。まず、蒸発器４５を通過する際に冷却された冷気は、蒸発器４５の後方へと流れ、さらに下方に向きを変えて室内循環ダクト４３によって画定される背面冷気経路４３ｃ内に流れ込む。ところで、蒸発器４５の後方の左寄り空間には、制御用配線５５がまとめられて配置されているため、流路抵抗が大きくなっている。このため、蒸発器４５の後方へ流れた冷気は、相対的に流路抵抗の小さい右寄りの空間から背面冷気経路４３ｃ内に流れ込む。よって、このまま室内循環ダクト４３の下端４３ｂまで流れ続けると、図４及び図５に示した既存の冷菓供給装置と同様に貯蔵室３３内の冷気の流量が左右でアンバランスになる。
しかしながら、本実施の形態では、背面冷気経路４３ｃ内の右側に傾斜板７７が配置されている。よって、右側から大量に流入した冷気は、背面冷気経路４３ｃ内で左右方向中央に案内され、図２に矢印に示されるように、室内循環ダクト４３の下端４３ｂからは左右ほぼ均等に流出するようになる。これらの冷気は、前方に向きを変えて一対の詰め替え用冷菓貯蔵容器４１ａ，４１ｂの周囲を左右対称的に流れ、さらに前方へと流れる。よって、それぞれの詰め替え用冷菓貯蔵容器４１ａ，４１ｂ内の冷菓は均等に冷却されると共に、一対の詰め替え用冷菓貯蔵容器４１ａ，４１ｂの間でも均等に冷却が進行する。
【００１６】
ここで、図４及び図５に示した既存の冷菓供給装置であれば、蒸発器の左側には抵抗体となるような部品がないため、詰め替え用冷菓貯蔵容器を通過した冷気は、その後、左右アンバランスに流れるところではあるが、本実施の形態では、ブラインタンク３７と同幅・同高さの遮蔽板７９が設けられ、冷菓注出シリンダ３５を中心として左右に振り分けられた遮蔽板７９及びブラインタンク３７によって左右対称の冷気受け入れ状態を作っている。このため、一対の詰め替え用冷菓貯蔵容器４１ａ，４１ｂの周囲を通って前方へ流れてくる冷気は、冷菓注出シリンダ３５の周囲をほぼ左右対称的に流れる。これにより、冷菓注出シリンダ３５内の冷菓は均等に冷却されると共に、引き続き流れ込んでくる上流の冷気にも左右アンバランスな抵抗を伝達しないで済む。冷菓注出シリンダ３５を冷却した冷気は、断熱パネル３１ａにおける貯蔵室３３の前面を画定する部分に沿って上昇し、室内循環ファン４９の作用によって蒸発器４５に向けて流され、以降同様な循環を行う。
【００１７】
このようにして、本実施の形態の冷菓供給装置においては、室内循環ダクト内に冷気の流通抵抗となる配線がまとめて配置されていても、貯蔵室内の冷却状態にバラツキが生じることを解消することができる。また、そのように冷却状態のバラツキが回避できるため、配線のまとめ方を既存の態様のまま変更しなくて済み、且つ配線をまとめて一箇所から貯蔵室外へ引き出すことができる。
【００１８】
尚、以上の実施の形態に説明してきた本発明は、これに限定されるものではなく、様々な改変を施して実施することができる。例えば、冷気の循環の向きは上記実施の形態と逆周りでもよく、室内循環ダクトの下端から冷気が流入し、室内循環ダクト内を上昇した後、室内循環ダクトの上端から蒸発器へ流れる態様でもよい。さらに、冷気循環経路中における蒸発器や室内循環ファンの位置も上記実施の形態から変更することができる。また、本発明に係る循環冷気分配構造は、冷気が室内に循環される構成を備えた装置であれば冷菓供給装置以外にも広く適用することができ、例えば、冷蔵庫に適用することもできる。なお、本明細書における前後左右方向は同一水平面上における前後左右など厳密な意味でのみ用いられるものではなく、例えば、左右方向は、前後方向からみた投影位置関係におけるやや斜め左右方向をも含むものである。
【００１９】
【発明の効果】
以上説明したように、本発明の循環冷気分配構造によれば、室内循環ダクト内に冷気の流通抵抗となる部品が配置されていても、貯蔵室内の冷却状態にバラツキが生じることを解消することができる。
また、循環冷気分配構造において、冷却対象物となる冷菓注出手段として、貯蔵室における幅方向中央に配置された冷菓注出シリンダと、冷菓注出シリンダの片側に配置されたブラインタンクとを設けておき、その貯蔵室において、冷菓注出シリンダを挟んでブラインタンクの逆側に、ブラインタンクと同幅・同高さの遮蔽部材を配置しておけば、冷菓注出シリンダ内の冷菓を均等に冷却できると共に、引き続き流れ込んでくる上流の冷気にも左右アンバランスな抵抗を伝達することがない。
【図面の簡単な説明】
【図１】本実施の形態に係る冷菓供給装置の左側方からみた縦断面図である。
【図２】図１のＩＩ−ＩＩ線に沿う断面図である。
【図３】図１のＩＩＩ−ＩＩＩ線に沿う断面図である。
【図４】既存の冷菓供給装置の左側方からみた縦断面図である。
【図５】図４のＶ−Ｖ線に沿う断面図である。
【符号の説明】
３１  冷菓供給装置、３３  貯蔵室、３５  冷菓注出シリンダ、３７  ブラインタンク、４３  室内循環ダクト、４５  蒸発器、５５  制御用配線、７７  傾斜板（風向部材）、７９  遮蔽板（遮蔽部材）。
【図１】
2004317083.tif 000003
【図２】
2004317083.tif 000004
【図３】
2004317083.tif 000005
【図４】
2004317083.tif 000006
【図５】
2004317083.tif 000007